(57)【要約】【課題】  中皿を確実に安定して密閉した状態で収納保持することにより、中皿単体の密閉の有無に関わりなく、中皿に収容された化粧料の品質を安全に維持すると共に、中皿の任意の交換使用を可能とすることを目的とする。【解決手段】  中皿２１を、その鍔片２３を上端面上に載置させて、収納筒３内に収納保持する本体２と、リング状の軟質弾性材製のパッキン１６を抱え込んだ構成で離脱不能に遊びのある状態で組付け保持し、本体２に螺合組付きして、鍔片２３に対するパッキン１６の密な弾接により、中皿２１を密閉するキャップ体９と、から構成され、キャップ体９の本体２に対する螺合組付きが完了する位置を、パッキン１６の弾接変形を弾性変形範囲内に規制する位置に設定する突き当たり片１１を設けて構成し、パッキン１６の確実で強固なシール作用を得る。【選択図】図２
2005144035.tif 000002
【特許請求の範囲】
【請求項１】
上端開口縁に外鍔状の鍔片(23)を設けた有底短筒形状に形成され、化粧料(K)を収容した中皿(21)を、前記鍔片(23)を上端面上に載置させて、収納筒(3)内に収納保持する本体(2)と、頂壁(10)の下面に、リング状の軟質弾性材製のパッキン(16)を抱え込んだ構成で離脱不能に遊びのある状態で組付け保持し、前記本体(2)に対して被嵌状に着脱自在に螺合組付きして、前記鍔片(23)に対するパッキン(16)の密な弾接により、前記中皿(21)を密閉するキャップ体(9)と、から構成され、前記本体(2)とキャップ体(9)との少なくとも一方に、他方側に突き当たって、前記キャップ体(9)の本体(2)に対する螺合組付きが完了する位置を、前記パッキン(16)の弾接変形を弾性変形範囲内に規制する位置に設定する突き当たり片(11)を設けて成るレフィル容器。
【請求項２】
パッキン(16)の成形材料である軟質弾性材を、ゴムとした請求項１記載のレフィル容器。
【請求項３】
本体(2)を、収納筒(3)と、キャップ体(9)と螺合する螺筒(7)との、上端間を連結した二重筒構造とし、前記螺筒(7)の下端に脚筒片(8)を設けて構成した請求項１または２記載のレフィル容器。
【請求項４】
頂壁(10)の下面に、短筒片状に垂下設した突き当たり片(11)を、本体(2)に収納保持された中皿(21)の鍔片(23)の上面に突き当たる構成とした請求項１、２または４記載のレフィル容器。
【請求項５】
突き当たり片(11)を、本体(2)の上端面に突き当たる構成とした請求項１、２または３記載のレフィル容器。
【請求項６】
鍔片(23)に密に弾接するリング状の主体部(17)と、該主体部(17)の内側に位置して、キャップ体(9)への組付き部分となるリング状の嵌り込み部(18)とから構成したパッキン(16)を、径方向に遊びを持った状態で、頂壁(13)と、該頂壁(13)に組付け固定されるパッキン押え(13)との間に、前記嵌り込み部(8)を位置させて離脱不能に組付け保持する請求項１、２、３、４または５記載のレフィル容器。
【発明の詳細な説明】
【技術分野】
【０００１】
本発明は、化粧料を収容保持した、交換可能な中皿を、密に収納保持するレフィル容器に関するものである。
【背景技術】
【０００２】
粉末化粧料や固形化粧料等の化粧料は、中皿に収容された状態でコンパクト容器に収納されるが、この化粧料を収容した中皿を、コンパクト容器に対して着脱自在とし、これにより経済性および利便性を高めたものが多用されている。
【０００３】
この中皿を着脱自在としたコンパクト容器を、有効に使用するに際しては、交換用の中皿を収容保持する、専用のレフィル容器を利用するのが有利である。
【０００４】
このレフィル容器としては、蓋体と本体とを、嵌合係止自在となるように構成し、蓋体と本体のいずれか一方に凹陥状の指掛け部を形成したものがある。
【特許文献１】特開平１１−２７６２４０号公報
【０００５】
また、交換用の中皿に収容されている化粧料の乾燥、吸湿、さらには含有する芳香剤等の揮発成分の飛散を防止すべく、中皿を密閉する必要があるが、中皿の密閉を達成すべく、中皿の上端開口部を、易剥離性のシールフィルムで密閉したものがある。
【特許文献２】特開２００３−２１０２４５号公報
【発明の開示】
【発明が解決しようとする課題】
【０００６】
しかしながら、特許文献１に開示された従来技術にあっては、レフィル容器自体に、収納した中皿を密閉する能力がないので、収容できる中皿は、特許文献２に開示され中皿のように、それ自体が密閉されている中皿に限定されてしまう、と云う問題があった。
【０００７】
また、特許文献１と特許文献２とを組合わせた従来技術にあっては、シールフィルムの剥離により中皿を開封すると、中皿を密閉状態に復帰させることが不可能となるので、中皿を一旦開封した後は、特許文献１のレフィル容器は全くの不要物となり、経済性に劣る、と云う問題があった。
【０００８】
さらに、中皿を一旦開封した後は、この中皿は、コンパクト容器に組付けられていない限り、その再密閉が不可能であるので、使用したい化粧料を替えたい場合には、現在使用している化粧料を使い切るか、現在使用している化粧料を中皿ごと捨てるしかなく、中皿に収容された高価な化粧料の利用状況が、きわめて不便なものとなっている、と云う不満があった。
【０００９】
そこで、本発明は、上記した従来技術における問題点を解消すべく創案されたもので、中皿を確実に安定して密閉した状態で収納保持することを技術的課題とし、もって中皿単体の密閉の有無に関わりなく、中皿に収容された化粧料の品質を安全に維持すると共に、中皿の任意の交換使用を可能とすることを目的とする。
【課題を解決するための手段】
【００１０】
上記技術的課題を解決する本発明の内、請求項１記載の発明に手段は、
上端開口縁に外鍔状の鍔片を設けた有底短筒形状に形成され、化粧料を収容した中皿を、この中皿の鍔片を上端面上に載置させて、収納筒内に収納保持する本体を有すること、
頂壁の下面に、リング状の軟質弾性材製のパッキンを抱え込んだ構成で離脱不能に遊びのある状態で組付け保持し、本体に対して被嵌状に着脱自在に螺合組付きして、中皿の鍔片に対するパッキンの密な弾接により、中皿を密閉するキャップ体を有すること、
本体とキャップ体との少なくとも一方に、他方側に突き当たって、キャップ体の本体に対する螺合組付きが完了する位置を、パッキンの弾接変形を弾性変形範囲内に規制する位置に設定する突き当たり片を設けたこと、
にある。
【００１１】
この請求項１記載の発明にあっては、中皿を収納保持した本体に対してキャップ体を螺合組付けすると、キャップ体に組付けられたパッキンが、中皿の鍔片に密に弾接し、これにより中皿は、キャップ体により密閉され、この状態が保持される。
【００１２】
このように、本発明のレフィル容器は、中皿を、新品、使用中の区別なく、密閉して収納保持することができるので、交換用中皿の収納容器として機能させることができ、コンパクト容器に組付けて携帯する中皿を、所望するものを選択して交換使用することが可能となる。
【００１３】
また、キャップ体に対するパッキンの組付けは、接着等による不動な固定組付けではなく、パッキンを抱え込んだ構成で遊びのある状態で組付け保持するものであるので、パッキンはキャップ体に対して、シール機能を発揮する箇所から外れることなく、ズレ変位可能に組付くことになる。
【００１４】
このため、キャップ体を本体に螺合組付けする際に、本体に対するキャップ体の相対回動により、パッキンが捩れ変形するが、キャップ体に対してパッキンがズレ変位可能に組付いているので、パッキンに発生しようとした捩れ変形は、パッキン自体の弾力によるズレ変位により、直ちに消滅する。
【００１５】
このように、本体に対するキャップ体の螺合組付きに際して、パッキンに捩れ変形が発生するのを防止することができるので、パッキンに捩れ変形が発生して、このパッキンのシール機能を損なうと云うことがなく、これによりパッキンは、安定して確実なシール作用を発揮する。
【００１６】
さらに、本体とキャップ体との間には、キャップ体の本体に対する螺合組付きが完了する位置を、本体とキャップ体との螺合組付きに伴うパッキンの弾性変形を、弾性変形範囲内に規制する位置に設定する突き当たり片が設けられているので、弾性変形範囲を越えたパッキンの変形を発生させる、キャップ体の締め込み過多を防止することができる。
【００１７】
請求項２記載の発明は、請求項１記載の発明の構成に、パッキンの成形材料である軟質弾性材を、ゴムとしたこと、を加えたものである。
【００１８】
この請求項２記載の発明にあっては、本体とキャップ体との相対回動により捩れ変形が発生し易いゴム製パッキンを、捩れ変形を発生させることなく使用することが可能であるので、ゴムの持つ高いシール機能をそのまま有効に発揮させることができる。
【００１９】
請求項３記載の発明は、請求項１または２記載の発明の構成に、本体を、収納筒と、キャップ体と螺合する螺筒との、上端間を連結した二重筒構造とし、螺筒の下端に脚筒片を設けて構成したこと、を加えたものである。
【００２０】
この請求項３記載の発明にあっては、本体を、中皿を組付け保持する部分と、キャップ体との螺合組付き部分とに分けて構成したので、両部分を無理なく構成することが可能となり、またキャップ体との組付き部分を構成する螺筒に「座」として機能する脚筒片を設けたので、中皿収納部分を構成する収納筒が、直接載置面に突き当たることがなく、その分、収納した中皿に対する外部からの衝撃の作用する機会を少なくすることになる。
【００２１】
請求項４記載の発明は、請求項１、２または３記載の発明の構成に、キャップ体の頂壁の下面に、短筒片状に垂下設した突き当たり片を、本体に収納保持された中皿の鍔片の上面に突き当たる構成としたこと、を加えたものである。
【００２２】
この請求項４記載の発明にあっては、突き当たり片をキャップ体に設けたので、この突き当たり片を本体側に設けることによる不都合、例えば中皿の収納保持および出し入れの邪魔になる、と云う不都合の発生が全くなく、またパッキンに近接して位置することが可能であるので、規制作用を正確にそして確実に発揮することになり、また本体に収納保持された中皿の鍔片に、パッキンが密に弾接すると共に、突き当たり片が突き当たるので、突き当たり片が鍔片に突き当たった際における、パッキンの鍔片に対する弾接程度が常に一定したものとなり、これにより突き当たり片のパッキンに対する規制作用が、常に正確なものとなる。
【００２３】
請求項５記載の発明は、請求項１、２または３記載の発明の構成に、キャップ体に設けた突き当たり片を、本体の上端面に突き当たる構成としたこと、を加えたものである。
【００２４】
この請求項５記載の発明にあっては、中皿の鍔片の幅を小さくすることが可能であり、またキャップ体から強大な締め付け力が中皿に作用しないので、中皿のより安全な収納保持を得ることができる。
【００２５】
請求項６記載の発明は、請求項１、２、３、４または５記載の発明の構成に、中皿の鍔片に密に弾接するリング状の主体部と、この主体部の内側に位置して、キャップ体への組付き部分となるリング状の嵌り込み部とから構成したパッキンを、径方向に遊びを持った状態で、キャップ体の頂壁と、この頂壁に組付け固定されるパッキン押えとの間に、パッキンの嵌り込み部を位置させて離脱不能に組付け保持すること、を加えたものである。
【００２６】
この請求項６記載の発明にあっては、パッキンは、径方向に遊びを持った状態で、主体部と区画された嵌り込み部を、組付け専用部材であるパッキン押えと、キャップ体の頂壁との間に、位置させて組付け保持されるので、パッキンのキャップ体への組付き構成は、抱え込んだ構成となり、これによりキャップ体に対するパッキンの組付きは、周方向および径方向にズレ変位可能なものとなり、パッキンが捩れ変形状態となるのを防止する。
【００２７】
また、パッキン押えは、パッキンの嵌り込み部に対向して位置し、パッキンの主体部からは離れて位置するものであるので、パッキン押えに影響されることなく、パッキンの主体部のシール機能が支障なく発揮できるようにすることは容易である。
【発明の効果】
【００２８】
本発明は、上記した構成となっているので、以下に示す効果を奏する。
請求項１記載の発明にあっては、中皿を、新品、使用中の区別なく、密閉して収納保持することができるので、一つのコンパクト容器に組付けて携帯使用する中皿を、所望するものに選択交換することが可能となり、これにより高価なコンパクト容器の使用状況を、より有効なものとすることができる。
【００２９】
また、キャップ体に対するパッキンの組付けは、抱え込んだ構成での遊びのある組付けであるので、パッキンはキャップ体に対してズレ変位可能に組付くことになるので、キャップ体を本体に螺合組付けする際に、パッキンに捩れ変形が発生しようとしても、この捩れ変形は、パッキン自体の弾力によるズレ変位により、直ちに消滅するので、パッキンのシール機能が、捩れ変形により劣化すると云う不都合の発生を確実に阻止することができ、これによりシール機能を安定して発揮させることができる。
【００３０】
さらに、本体とキャップ体との間には突き当たり片が設けられているので、弾性変形範囲を越えたパッキンの変形を発生させる、キャップ体の締め込み過多を防止することができ、これによりパッキンに、不正な永久変形を発生させるとか、損傷を与える等して、シール機能を低下させることがない。
【００３１】
請求項２記載の発明にあっては、ゴムの持つ高いシール機能をそのまま発揮させることができる。
【００３２】
請求項３記載の発明にあっては、本体の、中皿を組付け保持する部分と、キャップ体との螺合組付き部分とを無理なく構成することが可能となり、これにより本体の成形が容易となり、また螺筒に脚筒片を設けたので、収納した中皿に対する外部からの衝撃の作用する機会を少なくすることができ、これにより収納した化粧料の安全性を高めることができる。
【００３３】
請求項４記載の発明にあっては、突き当たり片をキャップ体に設けたので、この突き当たり片が中皿の収納保持および出し入れの邪魔になる、と云う不都合の発生が全くなく、中皿の取扱い性の低下を防止し、またパッキンに近接して位置することが可能であるので、規制作用を正確にそして確実に発揮することになり、これによりパッキンを安全に保護することになり、また本体に収納保持された中皿の鍔片に、パッキンが密に弾接すると共に、突き当たり片が突き当たるので、突き当たり片のパッキンに対する規制作用が、常に正確なものとなり、これにより突き当たり片のパッキンに対する規制作用の程度の設定が容易となる。
【００３４】
請求項５記載の発明にあっては、中皿の鍔片の幅を小さくすることが可能であるので、中皿の構造を簡単化させることができ、またキャップ体から強大な締め付け力が中皿に作用しないので、中皿が不正に歪み変形して、収容した化粧料に割れ等の不都合の発生がなく、化粧料をより安全に収納保持することができる。
【００３５】
請求項６記載の発明にあっては、パッキンは、径方向に遊びを持った状態で、主体部と区画された嵌り込み部で、キャップ体に、抱え込んだ構成で組付けられるので、キャップ体に対するパッキンの組付きを、周方向および径方向にズレ変位可能で、パッキンが捩れ変形状態となるのを防止することのできる状態とすることができる。
【発明を実施するための最良の形態】
【００３６】
以下、本発明の実施形態を、図面を参照しながら説明する。
本発明は、図４に示すように、化粧料Ｋを収容保持して、コンパクト容器２５に着脱自在に組付けられる金属薄板製の中皿２１を、密に収納保持するレフィル容器１に関するものである。
【００３７】
この中皿２１が組付けられるコンパクト容器２５（以下、図４参照）は、有底短筒状をした本体部２６と、この本体部２６に後端部同士を蝶番結合して開閉回動可能に組付いた蓋体部２９と、本体部２６に内装されて、中皿２１の組付け収納空間を形成する中枠２８とから構成されている。
【００３８】
コンパクト容器２５の本体部２６の底壁には、組付けた中皿２１を棒片（図示省略）で突き上げて、離脱させるための突き出し孔２７が開設されており、また蓋体部２９の下面には、収納保持した中皿２１の鍔片２３に密に弾接して、この中皿２１を密閉するパッキン体３０が組付けられている。
【００３９】
この中皿２１のコンパクト容器２５に対する組付きは、中皿２１の有底筒状の胴筒を、鍔片２３が中枠２８の上端面に突き当たるので、中枠２８内に挿入組付けした状態で、中皿２１の胴筒の外周面に凹設された係止凹部２２に、中枠２８の内周面に設けた係止機能部を係止させて達成される。
【００４０】
それゆえ、コンパクト容器２５から中皿２１を離脱させるには、蓋体部２９を開いた状態で、突き出し孔２７から棒片により中皿２１を突き上げ、これにより係止凹部２２に対する係止を強引に解除して、中皿２１を上方に押上げて達成する。
【００４１】
図１は、上記したようにしてコンパクト容器２５に着脱される中皿２１を、着脱自在に密閉収納する、本発明によるレフィル容器１の一実施例を示すもので、レフィル容器１は、中皿２１を収納保持する本体２と、この本体２に着脱自在に螺合組付きして、中皿２１を密閉するキャップ体９とから構成されている。
【００４２】
本体２は、中皿２１の胴筒を嵌入させて収納する、底板５を有する有底円筒状の収納筒３と、外周面に螺条を刻設し、収納筒３と上端間を連結して二重筒体構造を形成する螺筒７と、この螺筒７の下端に、外鍔状のフランジ片を介して垂下連設された、「座」を形成する脚筒片８とから構成されている。
【００４３】
収納筒３は、その内周面に、中皿２１が、鍔片２３を本体２の上端面に載置させた組付きの完了した位置で、中皿２１の横溝状の係止凹部２２と係止する横条状の係止片４を設けており、また底板５の周端部に偏った個所に、指先の差込が可能な大きさの窓孔６を開設している。
【００４４】
収納筒３と螺筒７の上端間を連結する連結部分の上面、すなわち本体２の上端面は、中皿２１の鍔片２３が安定して載置する平坦面となっており、また脚筒片８の下端面は、底板５の下面よりも下位に位置し、本体２を床面上に載置した際に、底板５が床面に突き当たることがないようにしている。
【００４５】
キャップ体９は、平円板状の頂壁１０の周端縁から、本体２の螺筒７に螺合する螺条を内周面に刻設した円筒形状の周壁１２を垂下連設した有頂円筒形状をしていて、周端部に短円筒状の突き当たり片１１を垂下設した頂壁１０の下面には、パッキン押え１３およびパッキン１６が組付けられている。
【００４６】
パッキン押え１３は、周端部分を、キャップ体９にパッキン１６を抱え込み状に遊びを有する状態で組付け保持する支え部１４とし、残部である中央部分を、多数の小孔を開設して構成される滴下防止部１５とし、この滴下防止部１５および支え部１４との間に隙間を形成した状態で、頂壁１０に、超音波溶着（図２参照）により、またはアンダーカット結合（図３参照）により組付け固定される。
【００４７】
ゴム製の、全体がリング状となったパッキン１６は、シール機能を発揮する外側の主体部１７と、組付き機能部を形成する内側の嵌り込み部１８とに区画されており、肉厚となった主体部１７には、その下面に寸法の大きな主シール条１９が、そして上面に副シール条２０が、それぞれ突周設されており、やや肉薄に成形された嵌り込み部１８は、単純な平リング円板状となっている。
【００４８】
このパッキン１６は、キャップ体９に、径方向に遊びを持った状態で組付けられるが、この径方向の遊び範囲の制限は、図２の場合、外側に位置した突き当たり片１１と、内側に位置したパッキン押え１３を取付けるための突片とにより達成し、図３の場合、外側に位置した突き当たり片１１と、内側に位置したパッキン押え１３の突片とにより達成している。
【００４９】
このように、パッキン１６は、径方向に遊びを持った状態で、嵌り込み部１８全体を、頂壁１０と支え部１４との間で軽く挟まれて、キャップ体９に組付け保持されるので、その組付き状態は抱え込み状となり、キャップ体９に対して、周方向および径方向にズレ変位可能に組付くことになる。
【００５０】
図２の実施例の突き当たり片１１は、本体２に組付け保持された中皿２１の鍔片２３、すなわちパッキン１６が密に弾接する鍔片２３に突き当たることにより、本体２に対するキャップ体９の螺合組付きが完了する位置を設定するものとなっているので、中皿２１の本体２に対する組付き状態の差異、例えば鍔片２３の本体２上端面からの浮き上がり程度の差異に関わりなく、キャップ体９を本体２に螺合組付きが完了する位置まで組付けた際の、鍔片２３に対するパッキン１６の弾接力が常に一定した値となる。
【００５１】
これに対して、図３は、突き当たり片１１の他の実施例を示すもので、突き当たり片１１は、中皿２１の鍔片２３を介することなく、本体２の上端面に直接突き当たるものとなっているので、キャップ体９の本体２に対する螺合組付きが強固で安定したものとなる。
【００５２】
中皿２１のレフィル容器１からの離脱は、本体２からキャップ体９を螺脱させた状態で、窓孔６から指先を差し込んで中皿２１を押し上げて、係止片４と係止凹部２２との係止を解除させて達成される。
【００５３】
この際、窓孔６が周端側に偏って位置しているので、指先からの押し上げ力は、係止片４と係止凹部２２とが係止している、中皿２１の周端部近くに作用し、これにより指先による中皿２１の取り出しを、無理なく達成することができる。
【００５４】
なお、中皿２１の底壁に突条設されたズレ防止条２４は、中皿２１に対する化粧料Ｋの収納固定を安定化させるためのものである。
【図面の簡単な説明】
【００５５】
【図１】本発明の一実施形態の分解状態を示す、縦断面図である。
【図２】図１に示した実施形態の組立てた状態を示す、要部拡大縦断面図である。
【図３】本発明の他の実施形態の組立てた状態を示す、要部拡大縦断面図である。
【図４】コンパクト容器の中皿組付け状態を示す、縦断側面図である。
【符号の説明】
【００５６】
１    ；  レフィル容器
２    ；  本体
３    ；  収納筒
４    ；  係止片
５    ；  底板
６    ；  窓孔
７    ；  螺筒
８    ；  脚筒片
９    ；  キャップ体
１０  ；  頂壁
１１  ；  突き当たり片
１２  ；  周壁
１３  ；  パッキン押え
１４  ；  支え部
１５  ；  滴下防止部
１６  ；  パッキン
１７  ；  主体部
１８  ；  嵌り込み部
１９  ；  主シール部
２０  ；  副シール部
２１  ；  中皿
２２  ；  係止凹部
２３  ；  鍔片
２４  ；  ズレ防止条
２５  ；  コンパクト容器
２６  ；  本体部
２７  ；  突き出し孔
２８  ；  中枠
２９  ；  蓋体部
３０  ；  パッキン体
Ｋ    ；  化粧料
【図１】
2005144035.tif 000003
【図２】
2005144035.tif 000004
【図３】
2005144035.tif 000005
【図４】
2005144035.tif 000006
【手続補正書】
【提出日】平成16年10月15日(2004.10.15)
【手続補正１】
【補正対象書類名】特許請求の範囲
【補正対象項目名】請求項４
【補正方法】変更
【補正の内容】
【請求項４】
頂壁(10)の下面に、短筒片状に垂下設した突き当たり片(11)を、本体(2)に収納保持された中皿(21)の鍔片(23)の上面に突き当たる構成とした請求項１、２または３記載のレフィル容器。
【手続補正２】
【補正対象書類名】特許請求の範囲
【補正対象項目名】請求項６
【補正方法】変更
【補正の内容】
【請求項６】
鍔片(23)に密に弾接するリング状の主体部(17)と、該主体部(17)の内側に位置して、キャップ体(9)への組付き部分となるリング状の嵌り込み部(18)とから構成したパッキン(16)を、径方向に遊びを持った状態で、頂壁(10)と、該頂壁(10)に組付け固定されるパッキン押え(13)との間に、前記嵌り込み部(8)を位置させて離脱不能に組付け保持する請求項１、２、３、４または５記載のレフィル容器。
【手続補正３】
【補正対象書類名】明細書
【補正対象項目名】０００６
【補正方法】変更
【補正の内容】
【０００６】
しかしながら、特許文献１に開示された従来技術にあっては、レフィル容器自体に、収納した中皿を密閉する能力がないので、収容できる中皿は、特許文献２に開示された中皿のように、それ自体が密閉されている中皿に限定されてしまう、と云う問題があった。
【手続補正４】
【補正対象書類名】明細書
【補正対象項目名】００１０
【補正方法】変更
【補正の内容】
【００１０】
上記技術的課題を解決する本発明の内、請求項１記載の発明の手段は、
上端開口縁に外鍔状の鍔片を設けた有底短筒形状に形成され、化粧料を収容した中皿を、この中皿の鍔片を上端面上に載置させて、収納筒内に収納保持する本体を有すること、
頂壁の下面に、リング状の軟質弾性材製のパッキンを抱え込んだ構成で離脱不能に遊びのある状態で組付け保持し、本体に対して被嵌状に着脱自在に螺合組付きして、中皿の鍔片に対するパッキンの密な弾接により、中皿を密閉するキャップ体を有すること、
本体とキャップ体との少なくとも一方に、他方側に突き当たって、キャップ体の本体に対する螺合組付きが完了する位置を、パッキンの弾接変形を弾性変形範囲内に規制する位置に設定する突き当たり片を設けたこと、
にある。
【手続補正５】
【補正対象書類名】明細書
【補正対象項目名】００１６
【補正方法】変更
【補正の内容】
【００１６】
さらに、本体とキャップ体との間には、キャップ体の本体に対する螺合組付きが完了する位置を、本体とキャップ体との螺合組付きに伴うパッキンの弾接変形を、弾性変形範囲内に規制する位置に設定する突き当たり片が設けられているので、弾性変形範囲を越えたパッキンの変形を発生させる、キャップ体の締め込み過多を防止することができる。